(57)【特許請求の範囲】
【請求項１】
ワイヤレス信号等の書き換え信号を受信する書き換え信号受信手段と、
前記書き換え信号受信手段から送信された前記書き換え信号に基づいて主制御プログラムを書き換える主制御プログラム書き換え手段と、
書き換え可能な不揮発性メモリーに格納され、前記主制御プログラム書き換え手段に送られた前記書き換え信号により書き換えられ、空調制御処理を実行する通常空調制御手段と、
を備え、前記書き換え信号受信手段が、プログラム信号を受信するワイヤレス信号受信手段と、前記プログラム信号が空調制御データか書き換えプログラム信号かを判別する判別手段とにより構成されたことを特徴とする空気調和機の制御プログラム書き換え装置。
【請求項２】
前記書き換え信号受信手段と、前記主制御プログラム書き換え手段とを書き換え不可能な不揮発性メモリーに格納したことを特徴とする請求項１記載の空気調和機の制御プログラム書き換え装置。
【請求項３】
前記書き換え信号受信手段を書き換え不可能な不揮発性メモリーに格納し、前記主制御プログラム書き換え手段を前記書き換え可能な不揮発性メモリーに格納したことを特徴とする請求項１記載の空気調和機の制御プログラム書き換え装置。
【請求項４】
プログラム書き換えが完了すると、前記主制御プログラム書き換え手段を前記書き換え可能な不揮発性メモリーから消去する手段を備えたことを特徴とする請求項３記載の空気調和機の制御プログラム書き換え装置。
【請求項５】
前記書き換え信号受信手段を書き換え不可能な不揮発性メモリーに格納し、前記主制御プログラム書き換え手段を揮発性メモリーに格納したことを特徴とする請求項１記載の空気調和機の制御プログラム書き換え装置。
【請求項６】
セパレート型空気調和機の室外機に、前記書き換え信号受信手段を備えたことを特徴とする請求項１記載の空気調和機の制御プログラム書き換え装置。
【請求項７】
前記主制御プログラム書き換え手段を、前記書き換え可能な不揮発性メモリーに格納したことを特徴とする請求項６記載の空気調和機の制御プログラム書き換え装置。
【発明の詳細な説明】
【０００１】
【発明の属する技術分野】
この発明は、不揮発性ＲＡＭに記憶されたプログラムをワイヤレスリモコンの信号によって書き換える空気調和機の制御装置に関するものである。
【０００２】
【従来の技術】
制御データの書き換えに関わるプロセスを効率よく行えるようにした従来の空気調和機は、例えば特開平６−２２１６５３号公報に開示されている。
これは、制御系にＥＥＰＲＯＭのような書き換え可能な記憶素子が設けられた空気調和機において、製品状態になった後でも記憶素子にデータを容易に書き込むことができるようにするとともに、外部記憶素子を必要としない場合は、素子を回路上から取り外してもマイクロコンピュータの制御動作上に何ら問題が生じないようにしたものである。
【０００３】
装置本体に設けられたコンプレッサ及び室内対流ファンの制御系として、マイクロコンピュータと、コンプレッサ及びファンの制御に必要なデータを格納するとともに電気的に書き換え可能な記憶素子とを具備したものと、マイクロコンピュータによって暖房、冷房、除湿及び送風の各運転モードにおいてコンプレッサ及びファンの制御を行い、記憶素子によってその制御に必要なデータをマイクロコンピュータに与えるようにし、装置本体にキースイッチを付設し、このキースイッチにより、記憶素子ないのデータを補正するためのデータを設定操作を行えるようにし、且つ、設定された補正用データをマイクロコンピュータに入力し得るようにしている。
【０００４】
【発明が解決しようとする課題】
従来の空気調和装置は以上のように構成されているので、不揮発性ＲＡＭには補正データしか書き込みをすることができないなどの課題があった。
【０００５】
この発明は、上記のような課題を解消するためになされたもので、不揮発性ＲＡＭに空気調和機の制御プログラムそのものをワイヤレスリモコン信号を使って書き換えをすることができる空気調和機の制御装置を得ることを目的とする。
【０００６】
【課題を解決するための手段】
この発明に係る空気調和機の制御プログラム書き換え装置は、ワイヤレス信号等の書き換え信号を受信する書き換え信号受信手段と、書き換え信号受信手段から送信された書き換え信号に基づいて主制御プログラムを書き換える主制御プログラム書き換え手段と、書き換え可能な不揮発性メモリーに格納され、主制御プログラム書き換え手段に送られた書き換え信号により書き換えられ、空調制御処理を実行する通常空調制御手段とを備え、書き換え信号受信手段が、プログラム信号を受信するワイヤレス信号受信手段と、プログラム信号が空調制御データか書き換えプログラム信号かを判別する判別手段とにより構成されたことを特徴とする。
【０００８】
また、書き換え信号受信手段と、主制御プログラム書き換え手段とを書き換え不可能な不揮発性メモリーに格納したものである。
【０００９】
また、書き換え信号受信手段を書き換え不可能な不揮発性メモリーに格納し、主制御プログラム書き換え手段を書き換え可能な不揮発性メモリーに格納したものである。
【００１０】
また、主制御プログラム書き換え手段を書き換え可能な不揮発性メモリーに格納したものにおいて、プログラム書き換えが完了すると、主制御プログラム書き換え手段を書き換え可能な不揮発性メモリーから消去する手段を備えたものである。
また、この発明に係る空気調和機の制御プログラム書き換え装置は、ワイヤレス信号等の書き換え信号を受信する書き換え信号受信手段と、書き換え信号受信手段から送信された前記書き換え信号に基づいて主制御プログラムを書き換える主制御プログラム書き換え手段と、書き換え可能な不揮発性メモリーに格納され、主制御プログラム書き換え手段に送られた書き換え信号により書き換えられ、空調制御処理を実行する通常空調制御手段と、
を備え、書き換え信号受信手段が、プログラム信号を受信するワイヤレス信号受信手段と、プログラム信号が空調制御データか書き換えプログラム信号かを判別する判別手段とにより構成され、プログラム書き換えが完了すると、主制御プログラム書き換え手段を書き換え可能な不揮発性メモリーから消去する手段を備えたことを特徴とする。
【００１１】
また、書き換え信号受信手段を書き換え不可能な不揮発性メモリーに格納し、主制御プログラム書き換え手段を揮発性メモリーに格納したものである。
また、この発明に係る空気調和機の制御プログラム書き換え装置は、ワイヤレス信号等の書き換え信号を受信する書き換え信号受信手段と、書き換え信号受信手段から送信された書き換え信号に基づいて主制御プログラムを書き換える主制御プログラム書き換え手段と、書き換え可能な不揮発性メモリーに格納され、主制御プログラム書き換え手段に送られた書き換え信号により書き換えられ、空調制御処理を実行する通常空調制御手段と、
を備え、書き換え信号受信手段を書き換え不可能な不揮発性メモリーに格納し、主制御プログラム書き換え手段を揮発性メモリーに格納したことを特徴とする。
【００１２】
また、セパレート型空気調和機の室外機に、書き換え信号受信手段を備えたものである。
【００１３】
また、セパレート型空気調和機の室外機に書き換え信号受信手段を備えたものにおいて、主制御プログラム書き換え手段を書き換え可能な不揮発性メモリーに格納したものである。
【００１４】
【発明の実施の形態】
実施の形態１．
以下、この発明の実施の形態１を図について説明する。図７は、この発明の実施の形態の制御構成を表すブロック図である。図７において、７１３は空気調和機の室内ユニット制御基板であり、７０１は室外ユニットの制御基板である。
先ず室内ユニット制御基板７１３の構成を説明する。この基板には、マイクロコンピュータ７２３が実装されており、その内部は、ＣＰＵ７２０と、書き換え可能な不揮発性メモリーであるＦＬＡＳＨ  ＲＯＭ７１４と、書き換え不可能なメモリーＭＡＳＫ  ＲＯＭ７２４と、書き換え可能な揮発性メモリーＲＡＭ７２１と、入出力ポートＩ／Ｏ７２５とで構成されており、それぞれＣＰＵとバスで接続されている。
【００１５】
入出力ポートＩ／Ｏポート７２５の出力ポートには、表示回路７１２が接続されている。また、室内機送風ファン７１６も別の出力ポートに接続されている。
入力ポートには、空調制御のための室温サーモ７１１が接続されている。また、別の入力ポートには、ワイヤレス受信機７２２が接続されている。この受信機７２２は、空気調和機制御のためのワイヤレスリモコン７１９からの制御信号を受信する。
また、パーソナルコンピュータ７１８からのプログラム信号も受信する。
入出力ポートＩ／Ｏポート７２５には、空気調和機の室外ユニットとの制御信号の送受信のため内外通信回路７１５が接続されており、この内外通信回路７１５は、室外ユニット制御基板７０１の内外通信回路７０５に接続されている。
【００１６】
次に、室外ユニットの制御基板７０５の構成を説明する。この基板には、マイクロコンピュータ７０６が実装されており、その内部は、ＣＰＵ７０３と、書き換え可能な不揮発性メモリーであるＦＬＡＳＨ  ＲＯＭ７０２と、書き換え不可能なメモリーＭＡＳＫ  ＲＯＭ７０８と、書き換え可能な揮発性メモリーＲＡＭ７０７と、入出力ポートＩ／Ｏ７０４で構成されておりそれぞれＣＰＵとバスで接続されている。
【００１７】
入出力ポートＩ／Ｏポート７０４の出力ポートには、圧縮機７１０が接続されている。また、室外機送風ファン７０９も別の出力ポートに接続されている。
入出力ポートＩ／Ｏポート７０４には、空気調和機の室内ユニットとの制御信号の送受信のため内外通信回路７０５が接続されており、この内外通信回路７０５は、室内ユニット制御基板７１３の内外通信回路７１５に接続されている。
【００１８】
図１は、この発明の基となるブロック図である。ワイヤレス信号等からの書き換え信号の受信手段１３により受信された信号は、主制御プログラムの書き換え手段１２に送られる。これらの手段は、書き換え不可能なメモリー１５に記憶されている。通常空調制御手段１１は、書き換え可能な不揮発性メモリー１４に記憶されている。主制御プログラムの書き換え手段１２に送られたデータにより、通常空調制御手段１１は書き換えられる。
なお、主制御プログラムの書き換え手段１２は、書き換え可能な不揮発性メモリー１４に記憶されていてもよい。
【００１９】
図２は、実施の形態１の動作を表すブロック図である。ワイヤレス信号受信手段２６により受信されたプログラム信号は、空調制御データと書き換えプログラム信号の判別手段２３により判別される。受信したデータが空調制御信号であれば、制御データ解析手段２２に送られ、書き換え可能な不揮発性メモリー２４内に記憶された通常空調制御手段２１により空調制御される。
受信したデータが書き換えプログラム信号であれば、主制御プログラムの書き換え手段２５により、書き換え可能な不揮発性メモリー２４内に書き込まれている通常空調制御手段２１を書き換える。
【００２０】
以上の手段の内、ワイヤレス信号受信手段２６と空調制御データと書き換えプログラムの判別手段２３、制御データ解析手段２２、主制御プログラムの書き換え手段２５は、書き換え不可能なメモリー２７に記憶されている。通常空調制御手段２１は、書き換え可能な不揮発性メモリー２４に記憶されている。
【００２１】
図１０は実施の形態１のフローチャートである。このフローチャートを用いて本実施の形態の動作について説明する。
プログラムがスタートすると、ワイヤレス信号受信手段２６によりリモコン信号の受信待ちになる（ステップ１００１）。信号を受信すると、制御データと書き換えプログラム信号の判別手段２３によりその信号にプログラム書き換え指令を含んでいるかどうか判別する（ステップ１００２）。含んでいなければ、通常の空調制御信号なので、制御データ解析手段２２によりデータ解析され、通常空調手段２１により空調制御処理を実行する（ステップ１００３）。
【００２２】
プログラム書き換え信号を含んでいれば、ワイヤレス信号受信手段２６により書き換えるデータの受信待ちになる（ステップ１００４）。ある時間データを受信しなければ（ステップ１００７）、異常と判断しデータが受信できなかった旨タイムアウト表示をして（ステップ１００９）、ユーザーに異常を知らせ処理はストップする。
【００２３】
書き換えるデータの受信ができたら、そのデータが正しく受信できたかどうか（ステップ１００６）を判断し、正しく受信できなかった場合異常受信の表示をして（ステップ１００５）、ユーザーに異常を知らせ処理はストップする。データが正しく受信できたかどうかは、受信データにチェックサムを付加してデータの正当性を判断するか、ＣＲＣコードなどを付加し自己修復できるようにすれば良い。
【００２４】
ＣＲＣ（Cyclic Redundancy Check ）とは、データに検査用の符号情報を付加して伝送することにより、データが誤って送られた場合にも、ある程度の誤りに対しては、元のデータに復元できる様に配慮したデータ検査方法のことである。
【００２５】
書き換えるプログラムを正しく受信できたならば、主制御プログラム書き換え手段２５によりプログラム書き換え処理（ステップ１００８）へそのプログラムデータを渡す。全て書き換えが終わったかどうか判断し（ステップ１０１０）、まだならばこれらの一連の処理を繰り返す。終わったならば、正常終了表示をして（ステップ１０１１）、プログラムはストップする。
【００２６】
図９はこの発明の実施の形態のプログラムデータ信号図である。ヘッダーバイトには空気調和機制御信号と書き換えプログラムの判別コードが埋め込まれている。その後にプログラムのデータがｎバイト続き、データの最後に検査用のチェックサムコードかＣＲＣコードが続く。
【００２７】
図８は、書き換え可能な不揮発性メモリーＦＬＡＳＨ  ＲＯＭを持つ一般的なワンチップマイクロコンピュータのメモリー構成図である。これは、以下の全ての実施の形態に共通である。
メモリー領域の最低位アドレス側に入出力ポートの領域があり、その次にデータ等を一時的に記憶するＲＡＭがあり、その次にプログラムを記憶する書き換え可能な不揮発性メモリーの領域があり、最高位アドレス側に書き換え不可能なＭＡＳＫ  ＲＯＭ領域を持っている。
このマイクロコンピュータのＭＡＳＫ  ＲＯＭ領域に、ワイヤレス信号の受信手段とプログラム書き換え手段だけを記憶しておけば、ＦＬＡＳＨ  ＲＯＭ領域に記憶された空調の主制御プログラムに改良が生じた場合でも、ワイヤレス信号を使って容易に書き換えることができる。
【００２８】
実施の形態２．
以下、この発明の実施の形態２を図について説明する。本実施の形態の構成を表す図は、発明の実施の形態１と同様に図７である。
図３は、実施の形態２の動作を表すブロック図である。ワイヤレス信号受信手段３６により受信されたプログラム信号は、空調制御データと書き換えプログラム信号の判別手段３４により判別される。受信したデータが空調制御信号であれば、制御データ解析手段３３に送られ、書き換え可能な不揮発性メモリー３１内に記憶された通常空調制御手段３２により空調制御される。
受信したデータが書き換えプログラム信号であれば、主制御プログラムの書き換え手段３５により、書き換え可能な不揮発性メモリー３１内に書き込まれている通常空調制御手段３２を書き換える。
【００２９】
以上の手段の内、ワイヤレス信号受信手段３６と空調制御データと書き換えプログラムの判別手段３４、制御データ解析手段３３は、書き換え不可能なメモリー３７に記憶されている。主制御プログラムの書き換え手段３５と、通常空調制御手段３２は、書き換え可能な不揮発性メモリー３１に記憶されている。
【００３０】
図１１は実施の形態２のフローチャートである。このフローチャートを用いて本実施の形態の動作について説明する。
プログラムがスタートすると、ワイヤレス信号受信手段３６によりリモコン信号の受信待ちになる（ステップ１１０１）。信号を受信すると、制御データと書き換えプログラム信号の判別手段３４によりその信号にプログラム書き換え指令を含んでいるかどうか判別する（ステップ１１０２）。含んでいなければ、通常の空調制御信号なので、制御データ解析手段３３によりデータ解析され、通常空調手段(32)により空調制御処理を実行する（ステップ１１０３）。
【００３１】
プログラム書き換え信号を含んでいれば、ワイヤレス信号の受信手段３６により書き換えプログラムの受信待ちになる（ステップ１１０５）。ある時間プログラムデータを受信しなければ（ステップ１１０４）、異常と判断しデータが受信できなかった旨タイムアウト表示をして（ステップ１１０７）、ユーザーに異常を知らせ処理はストップする。
書き換えプログラムを受信できたなら、そのプログラムを書き換え可能な不揮発性メモリー（ＦＬＡＳＨ  ＲＯＭ）へ書き込む（ステップ１１０６）。
【００３２】
次にワイヤレス信号受信手段３６により書き換えるデータの受信ができたら、そのデータが正しく受信できたかどうかを判断し、正しく受信できたならば、主制御プログラム書き換え手段３５によりプログラム書き換え処理を実行する（ステップ１１０８）。全て書き換えが終わったかどうか判断し（ステップ１１０９）、まだならばこれらの一連の処理を繰り返す。終わったならば、正常終了表示をして（ステップ１１１０）、プログラムはストップする。
データが正しく受信できたかどうかは、実施の形態１と同様に受信データにチェックサムを付加してデータの正当性を判断するか、ＣＲＣコードなどを付加し自己修復できるようにすれば良い。
【００３３】
以上のように、図８に示すマイクロコンピュータのＭＡＳＫ  ＲＯＭ領域に、ワイヤレス信号の受信手段だけを記憶しておけば、ＦＬＡＳＨ  ＲＯＭ領域に記憶された空調の主制御プログラムに改良が生じた場合でも、ワイヤレス信号を使って容易に書き換えることができる。
しかも、ワイヤレス信号でプログラムを受信するので、据え付けられた空気調和機を取り外したり、空気調和機を分解して基板を取り外したりする手間無くプログラムの改良作業をすることができ効率的なサービスが期待できる。
【００３４】
実施の形態３．
以下、この発明の実施の形態３を図について説明する。本実施の形態の構成を表す図は、発明の実施の形態１と同様に図７である。
図４は、実施の形態３の動作を表すブロック図である。ワイヤレス信号受信手段４６により受信されたプログラム信号は、空調制御データと書き換えプログラム信号の判別手段４５により判別される。受信したデータが空調制御信号であれば、制御データ解析手段４２に送られ、書き換え可能な不揮発性メモリー４７内に記憶された通常空調制御手段４１により空調制御される。
【００３５】
受信したデータが書き換えプログラム信号であれば、主制御プログラムの書き換え手段４３により、書き換え可能な不揮発性メモリー４７内に書き込まれている通常空調制御手段４１を書き換える。主制御プログラムの書き換え手段４３は、書き換え処理が終われば、書き換え不可能なメモリー４８に記憶された、書き換え手段消去手段４４により、書き換え可能なメモリー４７から抹消される。
【００３６】
以上の手段の内、ワイヤレス信号受信手段４６と空調制御データと書き換えプログラムの判別手段４５、制御データ解析手段４２、書き換え手段消去手段４４は、書き換え不可能なメモリー４８に記憶されている。主制御プログラムの書き換え手段４３と、通常空調制御手段４１は、書き換え可能な不揮発性メモリー４７に記憶されている。
【００３７】
図１２は実施の形態３のフローチャートである。このフローチャートを用いて本実施の形態の動作について説明する。
プログラムがスタートすると、ワイヤレス信号受信手段４６によりリモコン信号の受信待ちになる（ステップ１２０１）。信号を受信すると、制御データと書き換えプログラム信号の判別手段４５によりその信号にプログラム書き換え指令を含んでいるかどうか判別する（ステップ１２０２）。含んでいなければ、通常の空調制御信号なので、制御データ解析手段４２によりデータが解析され、通常空調手段４１により空調制御処理を実行する（ステップ１２０３）。
【００３８】
プログラム書き換え信号を含んでいれば、ワイヤレス信号の受信手段４６により書き換えプログラムの受信待ちになる（ステップ１２０４）。ある時間プログラムデータを受信しなければ（ステップ１２０５）、異常と判断しデータが受信できなかった旨タイムアウト表示をして（ステップ１２０７）、ユーザーに異常を知らせ処理はストップする。
書き換えプログラムを受信できたなら、そのプログラムを書き換え可能な不揮発性メモリー（ＦＬＡＳＨ  ＲＯＭ）へ書き込む（ステップ１２０６）。
【００３９】
次にワイヤレス信号受信手段４６により書き換えるデータの受信ができたら、そのデータが正しく受信できたかどうかを判断し、正しく受信できたならば、主制御プログラム書き換え手段４３によりプログラム書き換え処理を実行する（ステップ１２０８）。全て書き換えが終わったかどうか判断し（ステップ１２０９）、まだならばこれらの一連の処理を繰り返す。終わったならば、書き換え可能な不揮発性メモリー４７に書き込みした書き換えプログラムは、書き換え不可能なメモリー４８に記憶された書き換え手段消去手段４４により抹消される（ステップ１２１０）。最後に正常終了表示をして（ステップ１２１１）、プログラムはストップする。
【００４０】
データが正しく受信できたかどうかは、実施の形態１と同様に受信データにチェックサムを付加してデータの正当性を判断するか、ＣＲＣコードなどを付加し自己修復できるようにすれば良い。
【００４１】
以上のように、図８に示すマイクロコンピュータのＭＡＳＫ  ＲＯＭ領域に、ワイヤレス信号の受信手段だけを記憶しておけば、ＦＬＡＳＨ  ＲＯＭ領域に記憶された空調の主制御プログラムに改良が生じた場合でも、ワイヤレス信号を使って容易に書き換えることができる。
しかも、ワイヤレス信号でプログラムを受信するので、据え付けられた空気調和機を取り外したり、空気調和機を分解して基板を取り外したりする手間無くプログラムの改良作業をすることができ効率的なサービスが期待できる。
【００４２】
本実施の形態によれば、主制御プログラム書き換え手段４３をワイヤレス信号で受信し、書き換え可能な不揮発性メモリーにロードすることとこのプログラムを消去する手段４４を備えたことで、書き換え作業が終わり不要になった主制御プログラム書き換え手段４３を消去することができ、このプログラムが残っていることで不用意にプログラムが書き換えられてしまうということが無くなる効果がある。
【００４３】
実施の形態４．
以下、この発明の実施の形態４を図について説明する。本実施の形態の構成を表す図は、発明の実施の形態１と同様に図７である。
図５は、実施の形態４の動作を表すブロック図である。ワイヤレス信号受信手段５７により受信されたプログラム信号は、空調制御データと書き換えプログラム信号の判別手段５３により判別される。受信したデータが空調制御信号であれば、制御データ解析手段５２に送られ、書き換え可能な不揮発性メモリー５１内に記憶された通常空調制御手段５４により空調制御される。
【００４４】
受信したデータが書き換えプログラム信号であれば、主制御プログラムの書き換え手段５５により、書き換え可能な不揮発性メモリー５１内に書き込まれている通常空調制御手段５４を書き換える。揮発性メモリー５６に記憶された主制御プログラムの書き換え手段５５は、揮発性メモリー５６に記憶されているため書き換え処理が終わり電源がオフされると、揮発性メモリー５６から消える。
【００４５】
以上の手段の内、ワイヤレス信号受信手段５７と空調制御データと書き換えプログラムの判別手段５３、制御データ解析手段５２は、書き換え不可能なメモリー５８に記憶されている。主制御プログラムの書き換え手段５５は揮発性メモリー５６に記憶されている。通常空調制御手段５４は、書き換え可能な不揮発性メモリー５１に記憶されている。
【００４６】
図１３は実施の形態４のフローチャートである。このフローチャートを用いて本実施の形態の動作について説明する。
プログラムがスタートすると、ワイヤレス信号受信手段５７によりリモコン信号の受信待ちになる（ステップ１３０１）。信号を受信すると、制御データと書き換えプログラム信号の判別手段５３によりその信号にプログラム書き換え指令を含んでいるかどうか判別する（ステップ１３０２）。含んでいなければ、通常の空調制御信号なので、制御データ解析手段５２によりデータが解析され、通常空調手段５４により空調制御処理を実行する（ステップ１３０４）。
【００４７】
プログラム書き換え信号を含んでいれば、ワイヤレス信号の受信手段５７により書き換えプログラムの受信待ちになる（ステップ１３０５）。ある時間プログラムデータを受信しなければ（ステップ１３０６）、異常と判断しデータが受信できなかった旨タイムアウト表示をして（ステップ１３０７）、ユーザーに異常を知らせ処理はストップする。
書き換えプログラムを受信できたなら、そのプログラムを揮発性メモリー５６へ書き込む（ステップ１３０８）。
【００４８】
次にワイヤレス信号受信手段５７により書き換えるデータの受信ができたら、そのデータが正しく受信できたかどうかを判断し、正しく受信できたならば、主制御プログラム書き換え手段５５によりプログラム書き換え処理を実行する（ステップ１３０９）。全て書き換えが終わったかどうか判断し（ステップ１３１０）、まだならばこれらの一連の処理を繰り返す。終わったならば正常終了表示をして（ステップ１３１１）、プログラムはストップする。その後、電源をオフすることで揮発性メモリー５６に書き込みした書き換えプログラムは消える（ステップ１３１２）。
または、人為的に電源をオフする操作をしなくても、プログラムが自己リセットを実行することでも同様に書き換えプログラムを消すことができる（ステップ１３１２）。
データが正しく受信できたかどうかは、発明の実施の形態１と同様に受信データにチェックサムを付加してデータの正当性を判断するか、ＣＲＣコードなどを付加し自己修復できるようにすれば良い。
【００４９】
以上のように、図８に示すマイクロコンピュータのＭＡＳＫ  ＲＯＭ領域に、ワイヤレス信号の受信手段だけを記憶しておけば、ＦＬＡＳＨ  ＲＯＭ領域に記憶された空調の主制御プログラムに改良が生じた場合でも、ワイヤレス信号を使って容易に書き換えることができる。
しかも、ワイヤレス信号でプログラムを受信するので、据え付けられた空気調和機を取り外したり、空気調和機を分解して基板を取り外したりする手間無くプログラムの改良作業をすることができ効率的なサービスが期待できる。
【００５０】
本実施の形態によれば、主制御プログラム書き換え手段５５をワイヤレス信号で受信し揮発性メモリー５６にロードすることで、特にこのプログラムを消去する手段を必要とせず、書き換え作業が終わり不要になった主制御プログラム書き換え手段４３を消去することができ、このプログラムが残っていることで不用意にプログラムが書き換えられてしまうということが無くなるメリットがある。
【００５１】
実施の形態５．
以下、この発明の実施の形態５を図について説明する。本実施の形態の構成を表す図は、発明の実施の形態１と同様に図７である。
図６は、実施の形態５の動作を表すブロック図である。ワイヤレス信号受信手段６１４により受信されたプログラム信号は、空調制御データと書き換えプログラム信号の判別手段６１３により判別される。受信したデータが空調制御信号であれば、制御データ解析手段６１１に送られ、室内機６０９の通常空調制御手段６１０により空調制御される。それが室外への制御データであれば、室内機６０９の通常空調制御手段６１０から内外信号送受信手段６１２により室外機６０７の内外信号送受信手段６０６へデータが送られる。
【００５２】
室外機６０７の内外信号送受信手段６０６により受信されたデータ信号は、室外機６０７の空調制御データと書き換えプログラム信号の判別手段６０５により判別される。受信したデータが空調制御信号であれば、室外機６０７の制御データ解析手段６０４に送られ、書き換え可能な不揮発性メモリー６０１内に記憶された室外機６０７の通常空調制御手段６０２により圧縮機等の制御が実行される。
【００５３】
受信したデータが書き換えプログラム信号であれば、室外機６０７の主制御プログラムの書き換え手段６０３により、書き換え可能な不揮発性メモリー６０１内に書き込まれている通常空調制御手段６０１を書き換える。
【００５４】
以上の手段の内、室外機６０７の内外信号送受信手段６０６と空調制御データと書き換えプログラムの判別手段６０５、制御データ解析手段６０４、主制御プログラムの書き換え手段６０３は、書き換え不可能なメモリー６０８に記憶されている。室外機６０７の通常空調制御手段６０２は、書き換え可能な不揮発性メモリー６０１に記憶されている。
【００５５】
図１４は実施の形態５のフローチャートである。このフローチャートを用いて本実施の形態の動作について説明する。
プログラムがスタートすると、ワイヤレス信号受信手段６１４によりリモコン信号の受信待ちになる（ステップ１４０１）。信号を受信すると、制御データと書き換えプログラム信号の判別手段６１３により、その信号にプログラム書き換え指令を含んでいるかどうか判別する（ステップ１４０２）。含んでいなければ、通常の空調制御信号なので、制御データ解析手段６１１によりデータが解析され、室内機の通常空調手段６１０により空調制御処理を実行する（ステップ１４０３）。
【００５６】
プログラム書き換え信号を含んでいれば、ワイヤレス信号の受信手段６１４により書き換えデータの受信待ちになる（ステップ１４０４）。ある時間プログラムデータを受信しなければ（ステップ１４０５）、異常と判断しデータが受信できなかった旨タイムアウト表示をして（ステップ１４０８）、ユーザーに異常を知らせ処理はストップする。
【００５７】
次にワイヤレス信号受信手段６１４により書き換えるデータの受信ができたら、そのデータが正しく受信できたかどうかを判断し（ステップ１４０７）、正しく受信できなかった場合異常受信の表示をして（ステップ１４０６）、ユーザーに異常を知らせ処理はストップする。
【００５８】
正しく受信できたならば、室内機の内外信号送受信手段６１２により室外機へプログラムデータを送信し書き換え用処理を実行する（ステップ１４０９）。
全て書き換えが終わったかどうか判断し（ステップ１４１０）、まだならばこれらの一連の処理を繰り返す。終わったならば正常終了表示をして（ステップ１４１１）、プログラムはストップする。
【００５９】
データが正しく受信できたかどうかは、発明の実施の形態１と同様に受信データにチェックサムを付加してデータの正当性を判断するか、ＣＲＣコードなどを付加し自己修復できるようにすれば良い。
また、室外機が書き換え用プログラムを室外機の内外信号送受信手段６０６を経由して受信した後のプログラム書き換え処理は、実施の形態１で述べた室内機のプログラム書き換え処理と全く同じである。
【００６０】
以上のように、図８に示すマイクロコンピュータのＭＡＳＫ  ＲＯＭ領域に、ワイヤレス信号の受信手段だけを記憶しておけば、ＦＬＡＳＨ  ＲＯＭ領域に記憶された空調の主制御プログラムに改良が生じた場合でも、ワイヤレス信号と室内外通信線を使って容易に書き換えることができる。これは、室外機のマイクロコンピュータであっても同様である。
【００６１】
しかも、ワイヤレス信号でプログラムを受信し、既に接続された内外通信線を経由して室外機へプログラムを送信するので、据え付けられた空気調和機を取り外したり、空気調和機を分解して基板を取り外したりする手間無くプログラムの改良作業をすることができ効率的なサービスを期待できる。
【００６２】
【発明の効果】
この発明に係るよれば、ワイヤレス信号等の書き換え信号を受信する書き換え信号受信手段と、書き換え信号受信手段から送信された書き換え信号に基づいて主制御プログラムを書き換える主制御プログラム書き換え手段と、書き換え可能な不揮発性メモリーに格納され、主制御プログラム書き換え手段に送られた書き換え信号により書き換えられ、空調制御処理を実行する通常空調制御手段とを備えたことにより、主制御プログラムをワイヤレス信号で受信し通常空調制御手段据え付けられた空気調和機を取り外したり、空気調和機を分解して基板を取り外したりする手間無く容易にプログラムの改良作業をすることができ効率的なサービスが期待できるものである。
【００６３】
また、主制御プログラムの書き換え手段をワイヤレス信号で受信し、書き換え可能な不揮発性メモリーにロードすることにより、あらかじめＲＯＭに書き込んでおくプログラムが減りリスクの少ない開発を行うことができるメリットがある。
【００６４】
また、主制御プログラム書き換え手段をワイヤレス信号で受信し、書き換え可能な不揮発性メモリーにロードすることと、このプログラムを消去する手段を備えたことで、書き換え作業が終わり不要になった主制御プログラム書き換え手段を消去することができ、このプログラムが残っていることで不用意にプログラムが書き換えられてしまうということが無くなる効果がある。
【００６５】
また、主制御プログラム書き換え手段を揮発性メモリーに格納したことにより、主制御プログラム書き換え手段の消去手段が不要になる。
【００６６】
さらに、セパレート型空気調和機の室外機に、書き換え信号受信手段を備えたことにより、据え付けられた空気調和機を取り外したり、空気調和機を分解して基板を取り外したりする手間無くプログラムの改良作業をすることができ効率的なサービスができるものである。
【図面の簡単な説明】
【図１】  この発明の基になるブロック図である。
【図２】  この発明の実施の形態１の制御構成を表すブロック図である。
【図３】  この発明の実施の形態２の制御構成を表すブロック図である。
【図４】  この発明の実施の形態３の制御構成を表すブロック図である。
【図５】  この発明の実施の形態４の制御構成を表すブロック図である。
【図６】  この発明の実施の形態５の制御構成を表すブロック図である。
【図７】  この発明の実施の形態の制御構成を表すブロック図である。
【図８】  一般的なワンチップマイクロコンピュータのメモリー構成図である。
【図９】  この発明の実施の形態のプログラムデータ信号図である。
【図１０】  この発明の実施の形態１の動作を説明するフローチャート図である。
【図１１】  この発明の実施の形態２の動作を説明するフローチャート図である。
【図１２】  この発明の実施の形態３の動作を説明するフローチャート図である。
【図１３】  この発明の実施の形態４の動作を説明するフローチャート図である。
【図１４】  この発明の実施の形態５の動作を説明するフローチャート図である。
【符号の説明】
１１  通常空調制御手段、１２  主制御プログラムの書き換え手段、１３  書き換え信号の受信手段、１４  書き換え可能な不揮発性メモリー、２１  通常空調制御手段、２２  制御データ解析手段、２３  判別手段、２４  書き換え可能な不揮発性メモリー、２５  主制御プログラムの書き換え手段、２６  ワイヤレス信号受信手段、３１  書き換え可能な不揮発性メモリー、３２  通常空調制御手段、３３  制御データ解析手段、３４  判別手段、３５  主制御プログラムの書き換え手段、３６  ワイヤレス信号受信手段、４１  通常空調制御手段、４２制御データ解析手段、４３  主制御プログラムの書き換え手段、４４  書き換え手段消去手段、４５  判別手段、４６  ワイヤレス信号受信手段、４７  書き換え可能な不揮発性メモリー、４８  書き換え不可能なメモリー、５１  書き換え可能な不揮発性メモリー、５２  制御データ解析手段、５３  判別手段、５４通常空調制御手段、５５  主制御プログラムの書き換え手段、５６  揮発性メモリー、５７  ワイヤレス信号受信手段、５８  書き換え不可能なメモリー、６０１，６０２  通常空調制御手段、６０３  主制御プログラムの書き換え手段、６０４  制御データ解析手段、６０５  判別手段、６０６  内外信号送受信手段、６０７  室外機、６０８  書き換え可能な不揮発性メモリー、６０９  室内機、６１０  通常空調制御手段、６１１  制御データ解析手段、６１２  内外信号送受信手段、６１３  判別手段、６１４  ワイヤレス信号受信手段、７０１  空気調和機の室外ユニット制御基板、７０２  室外機側書き換え可能な不揮発性メモリー（ＦＬＡＳＨ  ＲＯＭ）、７０３  室外機側ＣＰＵ、７０４  室外機側入出力ポートＩ／Ｏ、７０５  室外機側内外通信回路、７０６  室外機側ワンチップマイクロコンピュータ、７０７  室外機側揮発性メモリー（ＲＡＭ）、７０８室外機側書き換え不可能なメモリー（ＭＡＳＫ  ＲＯＭ）、７０９  室外ファンモータ、７１０  圧縮機、７１１  室温サーミスター、７１２  表示、７１３空気調和機の室内ユニット制御基板、７１４  室内機側書き換え可能な不揮発性メモリー（ＦＬＡＳＨ  ＲＯＭ）、７１５  室内機側内外通信回路、７１６  室内ファンモータ、７１８  パーソナルコンピュータ、７１９  ワイヤレスリモコン、７２０  室内機側ＣＰＵ、７２１  室内機側揮発性メモリー（ＲＡＭ）、７２２  ワイヤレス信号受信機、７２３  室内機側ワンチップマイクロコンピュータ、７２４  室内機側書き換え不可能なメモリー（ＭＡＳＫ  ＲＯＭ）。
【図１】
0003895029.tif 000002
【図２】
0003895029.tif 000003
【図３】
0003895029.tif 000004
【図４】
0003895029.tif 000005
【図５】
0003895029.tif 000006
【図６】
0003895029.tif 000007
【図７】
0003895029.tif 000008
【図８】
0003895029.tif 000009
【図９】
0003895029.tif 000010
【図１０】
0003895029.tif 000011
【図１１】
0003895029.tif 000012
【図１２】
0003895029.tif 000013
【図１３】
0003895029.tif 000014
【図１４】
0003895029.tif 000015